(57)【要約】【課題】光の動きを演出することが可能な照明装置を提供する。【解決手段】第１の光源２Ａ及び第２の光源２Ｂの点灯を制御することによって、第１の照明光Ｌ１中における原色光(Ａｐ)と補色光(Ａｃ)との割合と、第２の照明光Ｌ２中における原色光(Ｂｐ)と補色光(Ｂｃ)との割合とに応じて、第１の照明光Ｌ１と第２の照明光Ｌ２との混色により発光部Ｅの色調を可変に制御する。【選択図】図１
2019053918.tif 000002
【特許請求の範囲】
【請求項１】
少なくとも１種の原色光とその補色光との何れか一方又は両方を含み、前記原色光と前記補色光との割合が変更自在とされた照明光を出射する第１の光源及び第２の光源と、
前記第１の光源から出射された第１の照明光を一端側から他端側に向けて導光し、前記第２の光源から出射された第２の照明光を他端側から一端側に向けて導光することによって、前記一端側と前記他端側との間で発光する発光部を含む導光照明部と、
前記第１の光源及び前記第２の光源の点灯を制御することによって、前記第１の照明光中における前記原色光と前記補色光との割合と、前記第２の照明光中における前記原色光と前記補色光との割合とに応じて、前記第１の照明光と前記第２の照明光との混色により前記発光部の色調を可変に制御する点灯制御部とを備える照明装置。
【請求項２】
前記点灯制御部は、前記第１の照明光中における前記原色光と前記補色光との割合と、前記第２の照明光中における前記原色光と前記補色光との割合との何れか一方又は両方を変更することによって、前記発光部の色調を段階的又は連続的に切り替える制御を行うことを特徴とする請求項１に記載の照明装置。
【請求項３】
前記点灯制御部は、前記発光部において、前記原色光の割合が優位となる色調で発光する原色発光領域と、前記補色光の割合が優位となる色調で発光する補色発光領域と、前記原色光と前記補色光との割合が同等となる色調で発光する白色発光領域とのうち、何れか１つの発光領域を含む状態から、何れか他の発光領域を含む状態へと変化するように、前記発光部の色調を切り替える制御を行うことを特徴とする請求項２に記載の照明装置。
【請求項４】
前記点灯制御部は、前記発光部において、前記原色光の割合が優位となる色調で発光する原色発光領域と、前記補色光の割合が優位となる色調で発光する補色発光領域と、前記原色光と前記補色光との割合が同等となる色調で発光する白色発光領域とのうち何れか１つ以上の発光領域を含み、当該発光領域の長さが前記一端側と前記他端側との間で変化するように、前記発光部の色調を切り替える制御を行うことを特徴とする請求項２に記載の照明装置。
【請求項５】
前記点灯制御部は、前記発光部において、前記第１の照明光と前記第２の照明光との混色により白色で発光する白色発光領域を含み、当該白色発光領域の位置が前記一端側と前記他端側との間で変化するように、前記発光部の色調を切り替える制御を行うことを特徴とする請求項２に記載の照明装置。
【請求項６】
前記点灯制御部は、前記第１の光源及び前記第２の光源の点灯をパルス幅変調により制御することを特徴とする請求項１〜５の何れか一項に記載の照明装置。
【請求項７】
前記第１の光源及び前記第２の光源は、赤色光を発する赤色発光素子と、緑色光を発する緑色発光素子と、青色光を発する青色発光素子とを含むことを特徴とする請求項１〜６の何れか一項に記載の照明装置。
【請求項８】
前記第１の光源及び前記第２の光源と、前記導光照明部とを含む複数の照明ユニットを備えることを特徴とする請求項１〜７の何れか一項に記載の照明装置。
【発明の詳細な説明】
【技術分野】
【０００１】
本発明は、照明装置に関する。
【背景技術】
【０００２】
従来より、照明装置として、異なる色の光を出射する光源と、光源からの光を導光させる導光体とを組み合わせたものが知られている（例えば、下記特許文献１，２を参照。）。
【０００３】
このような照明装置では、光源から出射された光を導光体の一端側から内部へと入射し、導光体の内部で反射を繰り返しながら、導光体の他端側に向けて光を導光させる間に、この導光体の背面（一面）に設けられた複数の反射カットにより光を反射することによって、各反射カットで反射された光を拡散しながら、この導光体の前面（他面）に設けられた発光面を発光させる。
【０００４】
また、光源から出射される光の色を切り替えることによって、発光面の発光色を切り替えたり、光源から出射される異なる色の光の混色によって、発光面の発光色を切り替えたりすることが行われている。
【０００５】
例えば、下記特許文献１には、光源と、この光源からの光を入射させて灯具前方へ向けて出射するように配置された導光体とを備えた車両用灯具において、導光体が、互いに離間した位置に配置された第１棒状導光部及び第２棒状導光部と、これら第１及び第２棒状導光部の周面部同士を繋ぐように配置された面状導光体とを備えており、光源として、第１棒状導光部の端面から該第１棒状導光部に光を入射させるように配置された第１光源と、第２の棒状導光部の端面から該第２棒状導光部に光を入射させるように配置された第２光源とを備えており、第１光源と第２光源とが、互いに異なる色で発光するように構成されている車両用灯具（照明装置）が開示されている。
【０００６】
一方、下記特許文献２には、シート状又は板状の面状導光体と、面状導光体上に互いに間隔を空けて設置され、面状導光体上を複数の反射領域に分けると共に、導光する光を側面から出射可能な線状導光体と、複数の線状導光体の端部に設置され、線状導光体毎に異なる色の光を入射可能な複数の光源と、反射領域の直上に透明又は半透明な光透過領域が配列されたシート状又は板状の照明対象部材とを備えた照明装置が開示されている。
【先行技術文献】
【特許文献】
【０００７】
【特許文献１】特許第５９９５６９９号公報
【特許文献２】特開２０１０−１７７１１４号公報
【発明の概要】
【発明が解決しようとする課題】
【０００８】
ところで、上述した特許文献１，２に記載の照明装置では、発光面の発光色を切り替える構成となっているものの、発光面において、光を移動させたり、光の長さを変化させたりするといった光の動きを演出することは不可能であった。
【０００９】
本発明は、このような従来の事情に鑑みて提案されたものであり、光の動きを演出することが可能な照明装置を提供することを目的とする。
【課題を解決するための手段】
【００１０】
上記目的を達成するために、本発明は以下の手段を提供する。
〔１〕  少なくとも１種の原色光とその補色光との何れか一方又は両方を含み、前記原色光と前記補色光との割合が変更自在とされた照明光を出射する第１の光源及び第２の光源と、
前記第１の光源から出射された第１の照明光を一端側から他端側に向けて導光し、前記第２の光源から出射された第２の照明光を他端側から一端側に向けて導光することによって、前記一端側と前記他端側との間で発光する発光部を含む導光照明部と、
前記第１の光源及び前記第２の光源の点灯を制御することによって、前記第１の照明光中における前記原色光と前記補色光との割合と、前記第２の照明光中における前記原色光と前記補色光との割合とに応じて、前記第１の照明光と前記第２の照明光との混色により前記発光部の色調を可変に制御する点灯制御部とを備える照明装置。
〔２〕  前記点灯制御部は、前記第１の照明光中における前記原色光と前記補色光との割合と、前記第２の照明光中における前記原色光と前記補色光との割合との何れか一方又は両方を変更することによって、前記発光部の色調を段階的又は連続的に切り替える制御を行うことを特徴とする前記〔１〕に記載の照明装置。
〔３〕  前記点灯制御部は、前記発光部において、前記原色光の割合が優位となる色調で発光する原色発光領域と、前記補色光の割合が優位となる色調で発光する補色発光領域と、前記原色光と前記補色光との割合が同等となる色調で発光する白色発光領域とのうち、何れか１つの発光領域を含む状態から、何れか他の発光領域を含む状態へと変化するように、前記発光部の色調を切り替える制御を行うことを特徴とする前記〔２〕に記載の照明装置。
〔４〕  前記点灯制御部は、前記発光部において、前記原色光の割合が優位となる色調で発光する原色発光領域と、前記補色光の割合が優位となる色調で発光する補色発光領域と、前記原色光と前記補色光との割合が同等となる色調で発光する白色発光領域とのうち何れか１つ以上の発光領域を含み、当該発光領域の長さが前記一端側と前記他端側との間で変化するように、前記発光部の色調を切り替える制御を行うことを特徴とする前記〔２〕に記載の照明装置。
〔５〕  前記点灯制御部は、前記発光部において、前記第１の照明光と前記第２の照明光との混色により白色で発光する白色発光領域を含み、当該白色発光領域の位置が前記一端側と前記他端側との間で変化するように、前記発光部の色調を切り替える制御を行うことを特徴とする前記〔２〕に記載の照明装置。
〔６〕  前記点灯制御部は、前記第１の光源及び前記第２の光源の点灯をパルス幅変調により制御することを特徴とする前記〔１〕〜〔５〕の何れか一項に記載の照明装置。
〔７〕  前記第１の光源及び前記第２の光源は、赤色光を発する赤色発光素子と、緑色光を発する緑色発光素子と、青色光を発する青色発光素子とを含むことを特徴とする前記〔１〕〜〔６〕の何れか一項に記載の照明装置。
〔８〕  前記第１の光源及び前記第２の光源と、前記導光照明部とを含む複数の照明ユニットを備えることを特徴とする前記〔１〕〜〔７〕の何れか一項に記載の照明装置。
【発明の効果】
【００１１】
以上のように、本発明によれば、光の動きを演出することが可能な照明装置を提供することが可能である。
【図面の簡単な説明】
【００１２】
【図１】本発明の一実施形態に係る照明装置の概略構成を示す模式図である。
【図２】光の三原色及びその補色との関係を示す模式図である。
【図３】第１の光源及び第２の光源の点灯制御による発光部の色調変化を説明するための模式図である。
【図４】第１の光源及び第２の光源の点灯制御の一例を示すグラフである。
【図５】図４中に示すステップ１において、各照明光中の原色光及び補色光の割合、並びに発光部における色調分布を示す表及びグラフである。
【図６】図４中に示すステップ２において、各照明光中の原色光及び補色光の割合、並びに発光部における色調分布を示す表及びグラフである。
【図７】図４中に示すステップ３において、各照明光中の原色光及び補色光の割合、並びに発光部における色調分布を示す表及びグラフである。
【図８】図４中に示すステップ４において、各照明光中の原色光及び補色光の割合、並びに発光部における色調分布を示す表及びグラフである。
【図９】図４中に示すステップ５において、各照明光中の原色光及び補色光の割合、並びに発光部における色調分布を示す表及びグラフである。
【図１０】図４中に示すステップ６において、各照明光中の原色光及び補色光の割合、並びに発光部における色調分布を示す表及びグラフである。
【図１１】図４中に示すステップ７において、各照明光中の原色光及び補色光の割合、並びに発光部における色調分布を示す表及びグラフである。
【図１２】図４中に示すステップ８において、各照明光中の原色光及び補色光の割合、並びに発光部における色調分布を示す表及びグラフである。
【図１３】図４中に示すステップ９において、各照明光中の原色光及び補色光の割合、並びに発光部における色調分布を示す表及びグラフである。
【図１４】図４に示す第１の光源及び第２の光源の点灯制御の変形例を示すグラフである。
【図１５】第１の光源及び第２の光源の点灯制御の他例を示すグラフである。
【図１６】図１５中に示すステップ１において、各照明光中の原色光及び補色光の割合、並びに発光部における色調分布を示す表及びグラフである。
【図１７】図１５中に示すステップ２において、各照明光中の原色光及び補色光の割合、並びに発光部における色調分布を示す表及びグラフである。
【図１８】図１５中に示すステップ３において、各照明光中の原色光及び補色光の割合、並びに発光部における色調分布を示す表及びグラフである。
【図１９】図１５中に示すステップ４において、各照明光中の原色光及び補色光の割合、並びに発光部における色調分布を示す表及びグラフである。
【図２０】図１５中に示すステップ５において、各照明光中の原色光及び補色光の割合、並びに発光部における色調分布を示す表及びグラフである。
【図２１】図１５中に示すステップ６において、各照明光中の原色光及び補色光の割合、並びに発光部における色調分布を示す表及びグラフである。
【図２２】図１５中に示すステップ７において、各照明光中の原色光及び補色光の割合、並びに発光部における色調分布を示す表及びグラフである。
【図２３】図１５中に示すステップ８において、各照明光中の原色光及び補色光の割合、並びに発光部における色調分布を示す表及びグラフである。
【図２４】図１５中に示すステップ９において、各照明光中の原色光及び補色光の割合、並びに発光部における色調分布を示す表及びグラフである。
【図２５】図１５に示す第１の光源及び第２の光源の点灯制御の変形例を示すグラフである。
【発明を実施するための形態】
【００１３】
以下、本発明の実施形態について、図面を参照して詳細に説明する。
なお、以下の説明で用いる図面においては、各構成要素を見やすくするため、構成要素によって寸法の縮尺を異ならせて示すことがあり、各構成要素の寸法比率などが実際と同じであるとは限らない。
【００１４】
本発明の一実施形態として、例えば図１に示す照明装置１について説明する。なお、図１は、照明装置１の概略構成を示す模式図である。
本実施形態の照明装置１は、図１に示すように、第１の光源２Ａ及び第２の光源２Ｂと、導光照明部３と、点灯制御部４とを概略備えている。
【００１５】
第１の光源２Ａ及び第２の光源２Ｂは、それぞれ赤色光(Ｒ)を発する赤色発光素子５Ｒと、緑色光(Ｇ)を発する緑色発光素子５Ｇと、青色光(Ｂ)を発する青色発光素子５Ｂとを有している。
【００１６】
赤色、緑色及び青色発光素子５Ｒ，５Ｇ，５Ｂとしては、各色光(Ｒ)，(Ｇ)，(Ｂ)に対応した発光ダイオード（ＬＥＤ：Light Emitting Diode）を用いることができる。また、ＬＥＤ以外にも、例えばレーザーダイオード（ＬＤ：Laser Diode）などのパルス幅変調（ＰＷＭ：Pulse Width Modulation）により点灯が制御される発光素子を好適に用いることができる。
【００１７】
第１の光源２Ａは、各発光素子５Ｒ，５Ｇ，５Ｂが発する色光(Ｒ)，(Ｇ)，(Ｂ)の割合が変更自在とされた第１の照明光Ｌ１を出射する。同様に、第２の光源２Ｂは、各発光素子５Ｒ，５Ｇ，５Ｂが発する色光(Ｒ)，(Ｇ)，(Ｂ)の割合が変更自在とされた第２の照明光Ｌ２を出射する。
【００１８】
ここで、第１の光源２Ａ及び第２の光源２Ｂが出射する第１の照明光Ｌ１及び第２の照明光Ｌ２について、図２を参照しながら説明する。なお、図２は、光の三原色及びその補色との関係を示す模式図である。
【００１９】
第１の光源２Ａ及び第２の光源２Ｂは、それぞれ原色光となる赤色光(Ｒ)と、その補色光(Ｇ＋Ｂ)となる水色(シアン)光(Ｃ)との割合が変更自在とされた第１の照明光Ｌ１及び第２の照明光Ｌ２を出射する。また、赤色光(Ｒ)と水色(シアン)光(Ｃ)とを同等の割合で混色することにより得られる白色光(Ｗ)を第１の照明光Ｌ１及び第２の照明光Ｌ２として出射することができる。
【００２０】
又は、第１の光源２Ａ及び第２の光源２Ｂは、それぞれ原色光となる緑色光(Ｇ)とその補色光(Ｒ＋Ｂ)となる赤紫(マゼンダ)光(Ｍ)との割合が変更自在とされた第１の照明光Ｌ１及び第２の照明光Ｌ２を出射する。また、緑色光(Ｇ)と赤紫(マゼンダ)光(Ｍ)とを同等の割合で混色することにより得られる白色光(Ｗ)を第１の照明光Ｌ１及び第２の照明光Ｌ２として出射することができる。
【００２１】
又は、第１の光源２Ａ及び第２の光源２Ｂは、それぞれ原色光となる青色光(Ｂ)とその補色光(Ｒ＋Ｇ)となる黄色(イエロー)光(Ｙ)との割合が変更自在とされた第１の照明光Ｌ１及び第２の照明光Ｌ２を出射する。また、青色光(Ｂ)と黄色(イエロー)光(Ｙ)とを同等の割合で混色することにより得られる白色光(Ｗ)を第１の照明光Ｌ１及び第２の照明光Ｌ２として出射することができる。
【００２２】
本実施形態では、図１に示すように、第１の光源２Ａが発する赤色光(Ｒ)、緑色光(Ｇ)及び青色光(Ｂ)をまとめて原色光(Ａｐ)とし、第１の光源２Ａが発する水色(シアン)光(Ｃ)、赤紫(マゼンダ)光(Ｍ)及び黄色(イエロー)光(Ｙ)をまとめて補色光(Ａｃ)として区別するものとする。また、第２の光源２Ｂが発する赤色光(Ｒ)、緑色光(Ｇ)及び青色光(Ｂ)をまとめて原色光(Ｂｐ)とし、第２の光源２Ｂが発する水色(シアン)光(Ｃ)、赤紫(マゼンダ)光(Ｍ)及び黄色(イエロー)光(Ｙ)をまとめて補色光(Ｂｃ)として区別するものとする。また、これらの原色光(Ａｐ)，(Ｂｐ)とその補色光(Ａｃ)，(Ｂｃ)とを同等の割合で混色することにより白色光(Ｗ)を得ることが可能である。
【００２３】
したがって、本実施形態の第１の光源２Ａ及び第２の光源２Ｂでは、第１の照明光Ｌ１及び第２の照明光Ｌ２中における原色光(Ａｐ)，(Ｂｐ)と補色光(Ａｃ)，(Ｂｃ)との割合に応じて、この第１の照明光Ｌ１及び第２の照明光Ｌ２の色を切り替えることが可能である。
【００２４】
導光照明部３は、第１の光源２Ａ及び第２の光源２Ｂから出射された第１の照明光Ｌ１及び第２の照明光Ｌ２を導光することによって発光するものである。具体的に、この導光照明部３は、棒状の導光体６を有している。導光体６には、例えばポリカーボネイトやアクリル等の透明樹脂やガラスなど、空気よりも屈折率の高い材質のものを用いることができる。
【００２５】
第１の光源２Ａは、導光体６の一端６ａ側に対向して配置されている。導光体６の一端６ａ側は、第１の光源２Ａから出射された第１の照明光Ｌ１が入射する第１の入射部を構成している。また、第２の光源２Ｂは、導光体６の他端６ｂ側に対向して配置されている。導光体６の他端６ｂ側は、第２の光源２Ｂから出射された第２の照明光Ｌ２が入射する第２の入射部を構成している。
【００２６】
第１の入射部及び第２の入射部は、導光体６の一端６ａ及び他端６ｂを平坦化した平面により構成されている。なお、第１及び第２の入射部では、導光体６の一端６ａ及び他端６ｂが平面により構成された場合に限らず、導光体６の一端６ａ及び他端６ｂ側の形状を適宜変更することが可能である。例えば、第１及び第２の入射部では、導光体６の一端６ａ及び他端６ｂから入射した第１及び第２の照明光Ｌ１，Ｌ２を平行化したり、集光化したりするため、例えばレンズ面やプリズム面などにより構成してもよい。さらに、第１及び第２の入射部では、第１及び第２の光源２Ａ，２Ｂと導光体６の一端６ａ及び他端６ｂとの間に、レンズやプリズム、リフレクターなどを配置した構成としてもよい。
【００２７】
導光体６の外周面６ｃは、この導光体６の一端６ａと他端６ｂとの間で連続した発光部Ｅを構成している。発光部Ｅは、例えば、導光体６の外周面６ｃの全周に亘ってシボ加工等を施すことによって、この外周面６ｃから出射される第１の照明光Ｌ１及び第２の照明光Ｌ２を拡散させる凹凸形状が設けられた構成となっている。また、発光部Ｅについては、上述した凹凸形状に限らず、例えば、導光体６の外周面６ｃに、この外周面６ｃから出射される第１の照明光Ｌ１及び第２の照明光Ｌ２を拡散させる複数の反射カットが設けられた構成としてもよい。さらに、導光体６は、外周面６ｃから出射される第１の照明光Ｌ１及び第２の照明光Ｌ２を拡散させるための拡散ビーズなどの光拡散材が導光体６の内部に分散して設けられた構成であってもよい。
【００２８】
導光照明部３では、第１の光源２Ａから出射された第１の照明光Ｌ１が導光体６の一端６ａ側から導光体６の内部へと入射し、導光体６の他端６ｂ側に向けて導光される。第１の照明光Ｌ１は、導光体６の一端６ａ側から他端６ｂ側に向けて導光される間に、導光体６の外周面６ｃから導光体６の外部へと出射される。
【００２９】
一方、導光照明部３では、第２の光源２Ｂから出射された第２の照明光Ｌ２が導光体６の他端６ｂ側から導光体６の内部へと入射し、導光体６の一端６ａ側に向けて導光される。第２の照明光Ｌ２は、導光体６の他端６ｂ側から一端６ａ側に向けて導光される間に、導光体６の外周面６ｃから導光体６の外部へと出射される。
【００３０】
これにより、導光照明部３では、導光体６の外周面６ｃ（発光部Ｅ）を全周に亘って発光させることが可能である。また、導光照明部３では、第１の照明光Ｌ１と第２の照明光Ｌ２との混色により得られる発光色で発光部Ｅを発光させることが可能である。
【００３１】
また、導光照明部３では、第１の照明光Ｌ１が導光体６の一端６ａ側から他端６ｂ側に向けて導光される間に、この第１の照明光Ｌ１の光量（輝度）が徐々に低下していく。一方、第２の照明光Ｌ２が導光体６の他端６ｂ側から一端６ａ側に向けて導光される間に、この第２の照明光Ｌ２の光量（輝度）が徐々に低下していく。
【００３２】
このため、導光照明部３では、導光体６の一端６ａ側と他端６ｂ側との間で、第１の照明光Ｌ１中における原色光(Ａｐ)及びその補色光(Ａｃ)と、第２の照明光Ｌ２中における原色光(Ｂｐ)及びその補色光(Ｂｃ)との割合が変化することになる。これにより、導光照明部３では、導光体６の一端６ａ側と他端６ｂ側との間で、発光部Ｅの発光色（色調）を変化させることが可能である。
【００３３】
点灯制御部４は、第１の光源２Ａ及び第２の光源２Ｂの点灯を制御するものである。具体的に、本実施形態の点灯制御部４は、第１の光源２Ａ及び第２の光源Ｂを構成する各発光素子５Ｒ，５Ｇ，５Ｂと電気的に接続された点灯制御回路により構成されている。点灯制御回路は、第１の光源２Ａ及び第２の光源Ｂを構成する各発光素子５Ｒ，５Ｇ，５Ｂの点灯をパルス幅変調（ＰＷＭ）により制御する。具体的には、点灯制御回路から各発光素子５Ｒ，５Ｇ，５Ｂに入力されるパルス信号（矩形波）のデューティー比を調整する。これにより、第１の照明光Ｌ１及び第２の照明光Ｌ２の色及び光量（輝度）を調整することが可能となっている。
【００３４】
以上のような構成を有する本実施形態の照明装置１では、上述した点灯制御部４により第１の光源２Ａ及び第２の光源２Ｂの点灯を制御することによって、第１の照明光Ｌ１中における原色光(Ａｐ)と補色光(Ａｃ)との割合と、第２の照明光Ｌ２中における原色光(Ｂｐ)と補色光(Ｂｃ)との割合とに応じて、第１の照明光Ｌ１と第２の照明光Ｌ２との混色により発光部Ｅの色調を可変に制御する。
【００３５】
具体的に、点灯制御部４は、第１の照明光Ｌ１中における原色光(Ａｐ)と補色光(Ａｃ)との割合と、第２の照明光Ｌ２中における原色光(Ｂｐ)と補色光(Ｂｃ)との割合との何れか一方又は両方を変更することによって、発光部Ｅの色調を段階的又は連続的に切り替える制御を行う。
【００３６】
ここで、第１の光源２Ａ及び第２の光源２Ｂの点灯制御の一例について、図３及び図４(ａ)，(ｂ)、並びに図５〜図１３を参照しながら説明する。
【００３７】
なお、図３は、第１の光源２Ａ及び第２の光源２Ｂの点灯制御による発光部Ｅの色調変化を説明するための模式図である。図４(ａ)は、第１の光源２Ａから出射される第１の照明光Ｌ１中における原色光(Ａｐ)と補色光(Ａｃ)との割合の変化を示すグラフである。図４(ｂ)は、第２の光源２Ｂから出射される第２の照明光Ｌ２中における原色光(Ｂｐ)と補色光(Ｂｃ)との割合の変化を示すグラフである。
【００３８】
図３に示す導光照明部３の発光部Ｅは、導光体６の一端６ａと他端６ｂとの間で１０等分された発光位置（座標０〜１０）を表している。
【００３９】
点灯制御部４は、図４(ａ)，(ｂ)に示すように、ステップ０〜１０の順で、第１の光源２Ａ及び第２の光源２Ｂから出射される第１の照明光Ｌ１及び第２の照明光Ｌ２中における原色光(Ａｐ)，(Ｂｐ)と補色光(Ａｃ)，(Ｂｃ)との割合を変更する点灯制御を行う。
【００４０】
図５〜図１３は、図４(ａ)，(ｂ)中に示すステップ１〜９において、各照明光Ｌ１，Ｌ２中の原色光(Ａｐ)，(Ｂｐ)及び補色光(Ａｃ)，(Ｂｃ)の割合、並びに発光部Ｅにおける色調分布を示す表及びグラフである。
【００４１】
このうち、図中右側のグラフは、各ステップ１〜９における各照明光Ｌ１，Ｌ２中の原色光(Ａｐ)，(Ｂｐ)及び補色光(Ａｃ)，(Ｂｃ)の割合、並びに発光部Ｅにおける色調分布を表している。一方、図中左上の表は、各ステップ１〜９における各照明光Ｌ１，Ｌ２中の原色光(Ａｐ)，(Ｂｐ)及び補色光(Ａｃ)，(Ｂｃ)の割合の数値［％］を表している。一方、図中左下の表は、各ステップ１〜９におけるグラフの各座標０〜１０の数値［％］を表している。
【００４２】
なお、図５〜図１３では、原色光(Ａｐ)，(Ｂｐ)の割合が優位となる方向を０からプラス(＋)方向とし、補色光(Ａｃ)，(Ｂｃ)の割合が優位となる方向を０からマイナス(−)方向とし、原色光(Ａｐ)，(Ｂｐ)と補色光(Ａｃ)，(Ｂｃ)との割合が同等（白色光）となる場合を±０として、発光部Ｅの各座標０〜１０における発光色を表すものとする。
【００４３】
また、発光部Ｅでは、原色光(Ａｐ)，(Ｂｐ)の割合が優位（＋）となる色調で発光する領域を「原色発光領域」とし、補色光(Ａｃ)，(Ｂｃ)の割合が優位（−）となる色調で発光する領域を「補色発光領域」とし、原色光(Ａｐ)，(Ｂｐ)と補色光(Ａｃ)，(Ｂｃ)との割合が同等（±０）となる色調（白色光）で発光する領域を「白色発光領域」として区別する。
【００４４】
また、本実施形態の導光照明部３では、第１の照明光Ｌ１が導光体６の一端６ａ側から他端６ｂ側に向けて導光される間に、この第１の照明光Ｌ１の輝度が１座標毎に５％ずつ合計で５０％減少していくものとする。同様に、第２の照明光Ｌ２が導光体６の他端６ａ側から他端６ｂ側に向けて導光される間に、この第２の照明光Ｌ２の輝度が１座標毎に５％ずつ合計で５０％減少していくものとする。
【００４５】
なお、上記ステップ０〜１０のうち、ステップ０はステップ１と同じであり、ステップ１０はステップ９と同じである。したがって、図５〜図１３では、ステップ１〜９までを順に示すものとする。
【００４６】
本実施形態による第１の光源２Ａ及び第２の光源２Ｂの点灯制御では、先ず、ステップ１において、図４(ａ)，(ｂ)及び図５に示すように、第１の光源２Ａから出射される第１の照明光Ｌ１中における原色光(Ａｐ)と補色光(Ａｃ)との割合を「Ａｐ：Ａｃ＝０：１００」とする。一方、第２の光源２Ｂから出射される第２の照明光Ｌ２中における原色光(Ｂｐ)と補色光(Ｂｃ)との割合を「Ｂｐ：Ｂｃ＝０：１００」とする。
【００４７】
これにより、ステップ１における発光部Ｅの色調分布は、導光体６の一端６ａと他端６ｂとの間で、補色光の割合が最大且つ一定となる補色発光領域を有したものとなっている。
【００４８】
次に、ステップ２において、図４(ａ)，(ｂ)及び図６に示すように、第１の光源２Ａから出射される第１の照明光Ｌ１中における原色光(Ａｐ)と補色光(Ａｃ)との割合を「Ａｐ：Ａｃ＝２５：７５」とする。一方、第２の光源２Ｂから出射される第２の照明光Ｌ２中における原色光(Ｂｐ)と補色光(Ｂｃ)との割合を「Ｂｐ：Ｂｃ＝０：１００」とする。
【００４９】
これにより、ステップ２における発光部Ｅの色調分布は、上記ステップ１のときよりも、導光体６の他端６ｂ側から一端６ａ側に向けて補色光の割合が漸次減少した補色発光領域を有したものとなっている。
【００５０】
次に、ステップ３において、図４(ａ)，(ｂ)及び図７に示すように、第１の光源２Ａから出射される第１の照明光Ｌ１中における原色光(Ａｐ)と補色光(Ａｃ)との割合を「Ａｐ：Ａｃ＝５０：５０」とする。一方、第２の光源２Ｂから出射される第２の照明光Ｌ２中における原色光(Ｂｐ)と補色光(Ｂｃ)との割合を「Ｂｐ：Ｂｃ＝０：１００」とする。
【００５１】
これにより、ステップ３における発光部Ｅの色調分布は、上記ステップ２のときよりも、導光体６の他端６ｂ側から一端６ａ側に向けて補色光の割合が漸次減少した補色発光領域を有したものとなっている。
【００５２】
次に、ステップ４において、図４(ａ)，(ｂ)及び図８に示すように、第１の光源２Ａから出射される第１の照明光Ｌ１中における原色光(Ａｐ)と補色光(Ａｃ)との割合を「Ａｐ：Ａｃ＝７５：２５」とする。一方、第２の光源２Ｂから出射される第２の照明光Ｌ２中における原色光(Ｂｐ)と補色光(Ｂｃ)との割合を「Ｂｐ：Ｂｃ＝０：１００」とする。
【００５３】
これにより、ステップ４における発光部Ｅの色調分布は、上記ステップ３のときよりも、導光体６の他端６ｂ側から一端６ａ側に向けて補色光の割合が漸次減少した補色発光領域を有したものとなっている。また、発光部Ｅの座標１（導光体６の一端６ａ）において、原色光と補色光との割合が同等（±０）となる白色発光領域を有したものとなっている。
【００５４】
次に、ステップ５において、図４(ａ)，(ｂ)及び図９に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝０：１００」とする。
【００５５】
これにより、ステップ５における発光部Ｅの色調分布は、発光部Ｅの座標５（導光体６の中央）において、原色光と補色光との割合が同等（±０）となる白色発光領域を有したものとなっている。また、この座標５から導光体６の一端６ａに向けて原色光の割合が漸次増加した原色発光領域を有したものとなっている。一方、この座標５から導光体６の他端６ｂに向けて補色光の割合が漸次増加した補色発光領域を有したものとなっている。
【００５６】
次に、ステップ６において、図４(ａ)，(ｂ)及び図１０に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝２５：７５」とする。
【００５７】
これにより、ステップ６における発光部Ｅの色調分布は、発光部Ｅの座標１０（導光体６の他端６ｂ）において、原色光と補色光との割合が同等（±０）となる白色発光領域を有したものとなっている。また、導光体６の他端６ｂから一端６ａに向けて原色光の割合が漸次増加した原色発光領域を有したものとなっている。
【００５８】
次に、ステップ７において、図４(ａ)，(ｂ)及び図１１に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝５０：５０」とする。
【００５９】
これにより、ステップ７における発光部Ｅの色調分布は、上記ステップ６のときよりも、導光体６の他端６ｂから一端６ａに向けて原色光の割合が漸次増加した原色発光領域を有したものとなっている。
【００６０】
次に、ステップ８において、図４(ａ)，(ｂ)及び図１２に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝７５：２５」とする。
【００６１】
これにより、ステップ８における発光部Ｅの色調分布は、上記ステップ７のときよりも、導光体６の他端６ｂから一端６ａに向けて原色光の割合が漸次増加した原色発光領域を有したものとなっている。
【００６２】
次に、ステップ９において、図４(ａ)，(ｂ)及び図１３に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝１００：０」とする。
【００６３】
これにより、ステップ１における発光部Ｅの色調分布は、導光体６の一端６ａと他端６ｂとの間で、原色光の割合が最大且つ一定となる原色発光領域を有したものとなっている。
【００６４】
以上のように、本実施形態による第１の光源２Ａ及び第２の光源２Ｂの点灯制御では、発光部Ｅの色調分布を補色発光領域を含む状態から原色発光領域を含む状態へと変化させることが可能である。
【００６５】
また、本実施形態による第１の光源２Ａ及び第２の光源２Ｂの点灯制御では、発光部Ｅにおいて、第１の照明光Ｌ１と２の照明光Ｌ２との混色により白色で発光する白色発光領域を含む状態へと変化させることが可能である。さらに、この白色発光領域の位置を導光体６の一端６ａ側と他端６ｂ側との間で変化（移動）させることが可能である。
【００６６】
また、本実施形態による第１の光源２Ａ及び第２の光源２Ｂの点灯制御では、発光部Ｅにおいて、上述した白色発光領域の移動に伴って、この白色発光領域を挟んだ一方側に位置する原色発光領域の長さと、他方側に位置する補色発光領域の長さとを変化（伸縮）させることが可能である。
【００６７】
なお、本実施形態では、上述したステップ１〜９の順で第１の光源２Ａ及び第２の光源２Ｂの点灯を制御する場合を例示しているが、ステップ９〜１の順で第１の光源２Ａ及び第２の光源２Ｂの点灯を制御してもよい。これにより、発光部Ｅにおいて、逆の色調変化を行わせることが可能である。
【００６８】
また、本実施形態では、上述したステップ１〜９の９段階により発光部Ｅの色調を段階的に変化させる場合を例示しているが、このステップ数を増やす（ステップ毎の割合変化を少なくする）、又は、連続的に変化させることによって、発光部Ｅの色調を更に細かく又は連続的に変化させることが可能である。
【００６９】
また、第１の光源２Ａ及び第２の光源２Ｂの点灯制御については、上述した図４(ａ)，(ｂ)に示す場合に限らず、図１４(ａ)，(ｂ)に示す場合を例示することができる。
【００７０】
具体的に、図１４(ａ)，(ｂ)に示す第１の光源２Ａ及び第２の光源２Ｂの点灯制御では、上述した図４(ａ)，(ｂ)に示す場合と、第１の光源２Ａから出射される第１の照明光Ｌ１中における原色光(Ａｐ)と補色光(Ａｃ)との割合の変化が逆となり、第２の光源２Ｂから出射される第２の照明光Ｌ２中における原色光(Ｂｐ)と補色光(Ｂｃ)との割合の変化が逆となっている。
【００７１】
図４(ａ)，(ｂ)及び図１４(ａ)，(ｂ)に示す場合、第１の光源２Ａの原色光(Ａｐ)及び補色光(Ａｃ)の輝度変化のステップ（ステップ１〜５）の完了と入れ替わるように、第２の光源２Ｂの原色光(Ｂｐ)及び補色光(Ｂｃ)の輝度変化のステップ（ステップ５〜９）が行われる。
【００７２】
この場合、発光部Ｅの色調分布を原色発光領域を含む状態から補色発光領域を含む状態へと変化させることが可能である。
【００７３】
また、発光部Ｅにおいて、第１の照明光Ｌ１と２の照明光Ｌ２との混色により白色で発光する白色発光領域を含む状態へと変化させることが可能である。さらに、この白色発光領域の位置を導光体６の一端６ａ側と他端６ｂ側との間で変化（移動）させることが可能である。
【００７４】
また、発光部Ｅにおける白色発光領域の移動に伴って、この白色発光領域を挟んだ一方側に位置する補色発光領域の長さと、他方側に位置する原色発光領域の長さとを変化（伸縮）させることが可能である。
【００７５】
すなわち、この色調分布の変化は、第１の光源２Ａ側（座標０）から早いステップで補色発光領域(−)から原色発光領域(＋)（若しくは原色発光領域(＋)から補色発光領域(−)）へと変化し、遅れて第２の光源２Ｂ側（座標１０）が補色発光領域(−)から原色発光領域(＋)（若しくは原色発光領域(＋)から補色発光領域(−)）へと変化する。
【００７６】
なお、図１４(ａ)，(ｂ)に示す場合においても、ステップ９〜１の順で第１の光源２Ａ及び第２の光源２Ｂの点灯を制御してもよい。これにより、発光部Ｅにおいて、逆の色調変化を行わせることが可能である。また、ステップ数を増やす（ステップ毎の割合変化を少なくする）、又は、連続的に変化させることによって、発光部Ｅの色調を更に細かく又は連続的に変化させることが可能である。
【００７７】
また、第１の光源２Ａ及び第２の光源２Ｂの点灯制御の他例について、図３及び図１５(ａ)，(ｂ)、並びに図１６〜図２４を参照しながら説明する。
【００７８】
なお、図１５(ａ)は、第１の光源２Ａから出射される第１の照明光Ｌ１中における原色光(Ａｐ)と補色光(Ａｃ)との割合の変化を示すグラフである。図１５(ｂ)は、第２の光源２Ｂから出射される第２の照明光Ｌ２中における原色光(Ｂｐ)と補色光(Ｂｃ)との割合の変化を示すグラフである。
【００７９】
点灯制御部４は、図１５(ａ)，(ｂ)に示すように、ステップ０〜１０の順で、第１の光源２Ａ及び第２の光源２Ｂから出射される第１の照明光Ｌ１及び第２の照明光Ｌ２中における原色光(Ａｐ)，(Ｂｐ)と補色光(Ａｃ)，(Ｂｃ)との割合を変更する点灯制御を行う。
【００８０】
図１６〜図２４は、図１５(ａ)，(ｂ)中に示すステップ１〜９において、各照明光Ｌ１，Ｌ２中の原色光(Ａｐ)，(Ｂｐ)及び補色光(Ａｃ)，(Ｂｃ)の割合、並びに発光部Ｅにおける色調分布を示す表及びグラフである。なお、図１６〜図２４の表記の仕方は、上記図５〜図１３の場合と同様であるため、その説明を省略するものとする。
【００８１】
本実施形態による第１の光源２Ａ及び第２の光源２Ｂの点灯制御では、先ず、ステップ１において、図１５(ａ)，(ｂ)及び図１６に示すように、第１の光源２Ａから出射される第１の照明光Ｌ１中における原色光(Ａｐ)と補色光(Ａｃ)との割合を「Ａｐ：Ａｃ＝１００：１００」とする。一方、第２の光源２Ｂから出射される第２の照明光Ｌ２中における原色光(Ｂｐ)と補色光(Ｂｃ)との割合を「Ｂｐ：Ｂｃ＝１００：１００」とする。
【００８２】
これにより、ステップ１における発光部Ｅの色調分布は、導光体６の一端６ａと他端６ｂとの間で、原色光と補色光との割合が同等（±０）となる白色発光領域を有したものとなっている。
【００８３】
次に、ステップ２において、図１５(ａ)，(ｂ)及び図１７に示すように、第１の光源２Ａから出射される第１の照明光Ｌ１中における原色光(Ａｐ)と補色光(Ａｃ)との割合を「Ａｐ：Ａｃ＝１００：７５」とする。一方、第２の光源２Ｂから出射される第２の照明光Ｌ２中における原色光(Ｂｐ)と補色光(Ｂｃ)との割合を「Ｂｐ：Ｂｃ＝１００：１００」とする。
【００８４】
これにより、ステップ２における発光部Ｅの色調分布は、上記ステップ１のときよりも、導光体６の他端６ｂ側から一端６ａ側に向けて原色光の割合が漸次増加した原色発光領域を有したものとなっている。
【００８５】
次に、ステップ３において、図１５(ａ)，(ｂ)及び図１８に示すように、第１の光源２Ａから出射される第１の照明光Ｌ１中における原色光(Ａｐ)と補色光(Ａｃ)との割合を「Ａｐ：Ａｃ＝１００：５０」とする。一方、第２の光源２Ｂから出射される第２の照明光Ｌ２中における原色光(Ｂｐ)と補色光(Ｂｃ)との割合を「Ｂｐ：Ｂｃ＝１００：１００」とする。
【００８６】
これにより、ステップ３における発光部Ｅの色調分布は、上記ステップ２のときよりも、導光体６の他端６ｂ側から一端６ａ側に向けて原色光の割合が漸次増加した原色発光領域を有したものとなっている。
【００８７】
次に、ステップ４において、図１５(ａ)，(ｂ)及び図１９に示すように、第１の光源２Ａから出射される第１の照明光Ｌ１中における原色光(Ａｐ)と補色光(Ａｃ)との割合を「Ａｐ：Ａｃ＝１００：２５」とする。一方、第２の光源２Ｂから出射される第２の照明光Ｌ２中における原色光(Ｂｐ)と補色光(Ｂｃ)との割合を「Ｂｐ：Ｂｃ＝１００：１００」とする。
【００８８】
これにより、ステップ４における発光部Ｅの色調分布は、上記ステップ３のときよりも、導光体６の他端６ｂ側から一端６ａ側に向けて原色光の割合が漸次増加した原色発光領域を有したものとなっている。
【００８９】
次に、ステップ５において、図１５(ａ)，(ｂ)及び図２０に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝１００：１００」とする。
【００９０】
これにより、ステップ５における発光部Ｅの色調分布は、上記ステップ４のときよりも、導光体６の他端６ｂ側から一端６ａ側に向けて原色光の割合が漸次増加した原色発光領域を有したものとなっている。
【００９１】
次に、ステップ６において、図１５(ａ)，(ｂ)及び図２１に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝１００：７５」とする。
【００９２】
これにより、ステップ６における発光部Ｅの色調分布は、上記ステップ５のときよりも、導光体６の他端６ｂ側から一端６ａ側に向けて原色光の割合が漸次増加した原色発光領域を有したものとなっている。
【００９３】
次に、ステップ７において、図１５(ａ)，(ｂ)及び図２２に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝１００：５０」とする。
【００９４】
これにより、ステップ７における発光部Ｅの色調分布は、上記ステップ６のときよりも、導光体６の他端６ｂ側から一端６ａ側に向けて原色光の割合が漸次増加した原色発光領域を有したものとなっている。
【００９５】
次に、ステップ８において、図１５(ａ)，(ｂ)及び図２３に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝１００：２５」とする。
【００９６】
これにより、ステップ８における発光部Ｅの色調分布は、上記ステップ７のときよりも、導光体６の他端６ｂ側から一端６ａ側に向けて原色光の割合が漸次増加した原色発光領域を有したものとなっている。
【００９７】
次に、ステップ９において、図１５(ａ)，(ｂ)及び図２４に示すように、第１の光源２Ａから出射される第１の照明光Ｌ１中における原色光(Ａｐ)と補色光(Ａｃ)との割合を「Ａｐ：Ａｃ＝１００：０」とする。一方、第２の光源２Ｂから出射される第２の照明光Ｌ２中における原色光(Ｂｐ)と補色光(Ｂｃ)との割合を「Ｂｐ：Ｂｃ＝１００：０」とする。
【００９８】
これにより、ステップ９における発光部Ｅの色調分布は、導光体６の一端６ａと他端６ｂとの間で、原色光の割合が最大且つ一定となる原色発光領域を有したものとなっている。
【００９９】
以上のように、本実施形態による第１の光源２Ａ及び第２の光源２Ｂの点灯制御では、発光部Ｅの色調分布を白色発光領域を含む状態から原色発光領域を含む状態へと変化させることが可能である。
【０１００】
なお、図１５(ａ)，(ｂ)に示す場合においても、ステップ９〜１の順で第１の光源２Ａ及び第２の光源２Ｂの点灯を制御してもよい。これにより、発光部Ｅにおいて、逆の色調変化を行わせることが可能である。また、ステップ数を増やす（ステップ毎の割合変化を少なくする）、又は、連続的に変化させることによって、発光部Ｅの色調を更に細かく又は連続的に変化させることが可能である。
【０１０１】
また、第１の光源２Ａ及び第２の光源２Ｂの点灯制御については、上述した図１５(ａ)，(ｂ)に示す場合に限らず、図２５(ａ)，(ｂ)に示す場合を例示することができる。
【０１０２】
具体的に、図２５(ａ)，(ｂ)に示す第１の光源２Ａ及び第２の光源２Ｂの点灯制御では、上述した図１５(ａ)，(ｂ)に示す場合と、第１の光源２Ａから出射される第１の照明光Ｌ１中における原色光(Ａｐ)と補色光(Ａｃ)との割合の変化が逆となり、第２の光源２Ｂから出射される第２の照明光Ｌ２中における原色光(Ｂｐ)と補色光(Ｂｃ)との割合の変化が逆となっている。
【０１０３】
この場合、発光部Ｅの色調分布を白色発光領域を含む状態から補色発光領域を含む状態へと変化させることが可能である。
【０１０４】
なお、図２５(ａ)，(ｂ)に示す場合においても、ステップ９〜１の順で第１の光源２Ａ及び第２の光源２Ｂの点灯を制御してもよい。これにより、発光部Ｅにおいて、逆の色調変化を行わせることが可能である。また、ステップ数を増やす（ステップ毎の割合変化を少なくする）、又は、連続的に変化させることによって、発光部Ｅの色調を更に細かく又は連続的に変化させることが可能である。
【０１０５】
すなわち、図１５(ａ)，(ｂ)及び図２５(ａ)，(ｂ)に示す場合は、第１の光源２Ａの原色光(Ａｐ)又は補色光(Ａｃ)の輝度変化のステップ（ステップ１〜５）の完了と入れ替わるように、第２の光源２Ｂの原色光(Ｂｐ)又は補色光(Ｂｃ)の輝度変化のステップ（ステップ５〜９）が行われる。
【０１０６】
また、この色調分布の変化は、第１の光源２Ａ側（座標０）から早いステップで白色発光領域(±０)から原色発光領域(＋)の最大値(＋１５０％)（若しくは補色発光領域(−)の最大値(−１５０％)）へと変化し、遅れて第２の光源２Ｂ側（座標１０）が白色発光領域(±０)から原色発光領域(＋)の最大値(＋１５０％)（若しくは補色発光領域(−)の最大値(−１５０％)）へと変化する。
【０１０７】
以上のようにして、本実施形態の照明装置１では、発光部Ｅの発光色を切り替えるだけでなく、この発光部Ｅにおいて、光を移動させたり、光の長さを変化させたりするといった光の動きを演出することが可能である。
【０１０８】
なお、本発明は、上記実施形態のものに必ずしも限定されるものではなく、本発明の趣旨を逸脱しない範囲において種々の変更を加えることが可能である。
具体的に、上記第１の光源２Ａ及び第２の光源２Ｂについては、上述した赤色、緑色及び青色発光素子５Ｒ，５Ｇ，５Ｂを含み、赤色光(Ｒ)、緑色光(Ｇ)及び青色光(Ｂ)の割合が変更自在とされた第１の照明光Ｌ１及び第２の照明光Ｌ２を出射する構成となっているが、このような構成に必ずしも限定されるものではない。
【０１０９】
すなわち、第１の光源２Ａ及び第２の光源２Ｂについては、少なくとも１種の原色光(Ａｐ)，(Ｂｐ)とその補色光(Ａｃ)，(Ｂｃ)との何れか一方又は両方を含み、原色光(Ａｐ)，(Ｂｐ)と補色光(Ａｃ)，(Ｂｃ)との割合が変更自在とされた第１の照明光Ｌ１及び第２の照明光Ｌ２を出射する構成であればよい。したがって、第１の光源２Ａ及び第２の光源２Ｂについては、原色光(Ａｐ)，(Ｂｐ)を発する原色発光素子と、その補色光(Ａｃ)，(Ｂｃ)を発する補色発光素子とを含む構成とすることも可能である。
【０１１０】
また、上記導光照明部３については、上述した棒状の導光体６を用いた構成に限らず、板状の導光体を用いた構成としてもよく、導光体の形状について適宜変更を加えることが可能である。
【０１１１】
また、上記導光照明部３については、導光体６を全周に亘って発光させる構成に限らず、導光体６の一部を発光させる構成としてもよい。また、リフレクター等を用いて、発光部Ｅから出射された光を特定の方向に向けて反射する構成とすることも可能である。
【０１１２】
また、上記導光照明部３については、上述した導光体６からなる構成に限らず、第１の光源２Ａから出射された第１の照明光Ｌ１を一端側から他端側に向けて導光し、第２の光源２Ｂから出射された第２の照明光Ｌ２を他端側から一端側に向けて導光することによって、これら一端側と他端側との間で発光する発光部を含む構成であればよい。
【０１１３】
また、本発明を適用した照明装置は、第１の光源２Ａ及び第２の光源２Ｂと、導光照明部３とを含む複数の照明ユニットを備えた構成であってよい。この場合、照明ユニット毎に光の動きを演出することが可能である。
【０１１４】
本発明を適用した照明装置の用途としては、例えば、車両用灯具や車載用照明、遊技機用照明、玩具用照明、看板照明、ネオン管等の代替照明など、様々な用途に幅広く利用することが可能である。
【符号の説明】
【０１１５】
１…照明装置  ２Ａ…第１の光源  ２Ｂ…第２の光源  ３…導光発光部  ４…点灯制御部  ５Ｒ…赤色発光素子  ５Ｇ…緑色発光素子  ５Ｂ…青色発光素子  ６…導光体  Ｅ…発光部  Ｌ１…第１の照明光  Ｌ２…第２の照明光  Ａｐ，Ｂｐ…原色光  Ａｃ，Ｂｃ…補色光
【図１】
2019053918.tif 000003
【図２】
2019053918.tif 000004
【図３】
2019053918.tif 000005
【図４】
2019053918.tif 000006
【図５】
2019053918.tif 000007
【図６】
2019053918.tif 000008
【図７】
2019053918.tif 000009
【図８】
2019053918.tif 000010
【図９】
2019053918.tif 000011
【図１０】
2019053918.tif 000012
【図１１】
2019053918.tif 000013
【図１２】
2019053918.tif 000014
【図１３】
2019053918.tif 000015
【図１４】
2019053918.tif 000016
【図１５】
2019053918.tif 000017
【図１６】
2019053918.tif 000018
【図１７】
2019053918.tif 000019
【図１８】
2019053918.tif 000020
【図１９】
2019053918.tif 000021
【図２０】
2019053918.tif 000022
【図２１】
2019053918.tif 000023
【図２２】
2019053918.tif 000024
【図２３】
2019053918.tif 000025
【図２４】
2019053918.tif 000026
【図２５】
2019053918.tif 000027